(57)【要約】      （修正有）【課題】地震が起こっていない日常生活に於いては邪魔にならないように、市販ベッドに防災機能を付与することを目的とする。【解決手段】市販ベッドを縦に跨ぐコの字形の部材を鋼管等で複数個作り、部材の胴部分同士には高強度不織布を張っておく。これらの部材を、平常時にはベッド両脇に同数個重ねて収納しておき、緊急地震速報や地震動センサーの信号等に拠って両脇から素早く立ち上げ、ベッドの上空に略半円筒形のシェルターを形成するようにする。地震動が終息すれば、また元の様にベッド両脇に収納する。このようにすれば、様々な市販ベッドに防災機能を付与しようという課題を解決することができる。【選択図】図１
2009112739.tif 000002
【特許請求の範囲】
【請求項１】
市販ベッドにも適用可能な電動防災フレーム
【発明の詳細な説明】
【技術分野】
【０００１】本発明は、地震時に起こりうる物品の落下や倒れこみ等から、通常の市販ベッドに就寝中の人体を保護するための防災フレームを、平常時の折り畳み収納した状態から、緊急地震速報等に応じて素早く立上げ機能するように工夫したものである。
【背景技術】
【０００２】地震動に起因する木造家屋の崩壊や半壊等によって、圧死あるいは大怪我をする例は、地震国の我が国においては残念ながらさほど珍しい事ではない。特に、就寝時の被災にどう対処すべきかは、高齢者や身障者あるいは古い木造家屋に住む人々にとって大きな関心事となっている。この問題に対しては、すでにさまざまな形の防災ベッドが提案されている。公開公報だけとっても、次の９件が見られる。
【特許文献１】  特許公開２００６−２５４９６８
【特許文献２】  特許公開２００６−１３０２０４
【特許文献３】  特許公開２００４−２０８９５５
【特許文献４】  特許公開２００４−００８７５７
【特許文献５】  特許公開２００２−０５１８７５
【特許文献６】  特許公開２００１−２０４５８６
【特許文献７】  特許公開平０８−３３６４４２
【特許文献８】  特許公開平０８−２６６３７４
【特許文献９】  特許公開平０８−２２４３２２
【発明の開示】
【発明が解決しようとする課題】
【０００３】ベッドは本来、人が休息するための装置であるとともに、人の好みで選択される家具でもある。従って防災ベッドを考案するに当っては、選好した家具に防災性能を付与するという視点が、大切となる。この見方からすれば、防災ベッドは、以下に記す２点を満足していることが望ましい。【０００４】その１つは、防災ベッドとなる機構の中に、選好された市販ベッドが組み込めること。
前掲の公開公報９件の内、この条件を満足するのは特許文献３の事例のみであり、改修すれば可能になるかも知れないのは、特許文献２、４、８の事例である。【０００５】他の１つは、防災ベッドとなる機構が、組み込まれた市販ベッドの日常的な使用に邪魔とならないこと。  組み込み可能な事例の内、市販ベッド本来の使用勝手ができそうなのは、改修想定した特許文献２の事例のみである。他の事例は、組み込めないか、組み込めても防災機構が大仰過ぎて、使用に制約が生ずる。なお、特許文献２の事例にしても、落下物等から保護できるのは、就寝中の人物の胸部から頭部にかけての一部だけであり、この点に問題を残している。【０００６】本発明は、上述した２点の条件を満足する防災ベッドの開発を課題とする。
【課題を解決するための手段】
【０００７】この課題を解決するための請求項１の発明は、市販ベッドの足元を外から囲むロの字形の土台フレームを設置し、ヘッド側とフット側の土台フレーム上に、ヒンジとロック機構から成る支承をそれぞれ設け、この２つの支承の間に、ベッドを縦に跨ぐかたちで複数のコの字形の回転子を取り付け、これら回転子と直交して、直立した円弧形ガイドレールをヘッドボード外側に設け、回転子のガイドレールに沿った動きを円滑にするためのキャスターを回転子の胴部分に取り付けることを特徴とする防災ベッドである。平常時にはベッドの両脇にそれぞれ重なって横たわっている複数の回転子を、緊急地震速報受信時にはガイドレール上のワイヤーロープで、支承が回転中心となるようにベッド両脇から次々と吊り上げ、回転子の腕部分がそれぞれ所定の角度に達した時に停止しロックするようにする。この時ワイヤーロープに付加する張力は、ガイドレール直下の土台フレーム上に設けられた巻上げドラムと電動モーターによって行う。また、ベッド両脇にそれぞれ重なっていた複数の回転子同士の胴部分には、高強度繊維の不織布を取り付け、全部の回転子が立上がって停止し、ロックした状態では、ベッド上に複数の回転子を骨として不織布で張られた略半円筒形のシェルターが出来上がる。すなわち、回転子の数と強度が適切であれば、ここに述べた機構は充分に課題を解決するための手段となり得る。
【発明の効果】
【０００８】本発明により、背もたれ電動ベッド等を含む広範囲の市販ベッドに、防災機能を付与することが可能となり、日常の就寝環境を損わずに防災ベッドを手に入れることができる。また、本発明の防災ベッドは電動であるので、気象庁の緊急地震速報や地震動センサーの信号で作動が開始でき、高齢者や身障者にとっての福音となろう。
【発明を実施するための最良の形態】
【０００９】図１は、本発明による電動防災フレームの、地震時に於ける形態を表す立面図である。
コの字形をした鋼管等で出来た回転子は、内包する市販ベッドのヘッド側とフット側の外に設けられた２つの支承に跨り、支承内部の軸受を回転中心として回転出来るようになっている。図１の状態は、平常時にはベッドの両脇に横たわっていた回転子が、立上がってロックされた状態を示している。支承内部には、軸受のほか回転子の腕部分をロックする機構が含まれている。【００１０】図２は、図１に示したＡ−Ａ‘個所の断面図である。立上がった回転子の腕部分が、所定の角度でロックされている有様を示している。回転子の回転は、胴部分に取付けたキャスターを介して、チャンネル形鋼等で出来たガイドレールに沿って行われる。  回転力は、ガイドレールの溝内を通りキャスターの根元に結ばれたワイヤーロープの張力によって与えられる。この時キャスターは双輪型を用いるので、キャスターはワイヤーロープを跨ぐかたちとなる。ワイヤーロープの張力は、滑車を介して、ガイドレール直下の支承内の土台フレーム上に設ける巻取りドラムと電動モーターによって与えられる。【００１１】回転子の胴部分には、図２に見られるように、高強度繊維の不織布が取付けられ、回転子が立上がってロックされた時、不織布は全展開するようになっている。【００１２】図３は、図２と同じ断面図であるが、本発明による電動防災フレームの、平常時に於ける形態を示している。この図から、回転子がベッド両脇に重ねて収納され、高強度不織布も折り畳まれている様相が分かる。図３を図１に敷衍して考えれば、平常時には、本発明による電動防災フレームは、組み込んだ市販ベッドの日常の使用に、殆ど邪魔とならない事も分かる。
【産業上の利用可能性】
【００１３】本発明による電動防災フレームに用いる部材および装備品は、全て市場にて調達可能な工業製品であるので、産業上の利用可能性を有する。
【図面の簡単な説明】
【００１４】
【図１】地震時に、本発明による電動防災フレームの主要部材である、回転子が立上がった状態を表す立面図である。
【図２】図１で指定した切り口から見た、地震時の回転子の位置が分かる断面図である。
【図３】図１で指定した切り口から見た、平常時の回転子の位置が分かる断面図である。
【符号の説明】
【００１５】１    市販ベッド
２    土台フレーム
３    支承
４    回転子
５    ガイドレール
６    キャスター
７    高強度不織布
【図１】
2009112739.tif 000003
【図２】
2009112739.tif 000004
【図３】
2009112739.tif 000005